(57)【要約】【課題】サマータイムのように現在時刻が標準時刻に対し変動する場合にも、各番組情報処理部それぞれの処理に影響を与えることなく標準時刻に合わせて処理を実行する。【解決手段】局内時計装置１７にてサマータイムに入った際に、局内時計装置１７からデータサーバ１４、自動番組送出制御装置１５及び符号化多重制御装置１６に対する時刻情報の送信に先立ち、時刻情報変換装置１８において、サマータイムによる時刻情報から標準時刻情報を生成してデータサーバ１４、自動番組送出制御装置１５及び符号化多重制御装置１６に提供する。【選択図】    図１
2005061848.tif 000002
【特許請求の範囲】
【請求項１】
デジタル放送の番組情報信号を標準時刻に基づいて送出するデジタル放送番組送出装置であって、
入力される時刻情報に基づいて、送信すべき前記番組情報信号に係わる処理を行う複数の番組情報処理部と、
前記標準時刻に沿って現在時刻を計時する第１の計時方式、及び前記標準時刻から一定時間ずらした時刻を現在時刻として計時する第２の計時方式のいずれか一方により得られる時刻情報を前記複数の番組情報処理部に送信する時刻情報提供部と、
この時刻情報提供部にて前記第２の計時方式が選択された場合に、前記時刻情報提供部から得られ前記第２の計時方式により計時された第１の時刻情報から前記標準時刻に沿った第２の時刻情報を生成して、この第２の時刻情報を前記複数の番組情報処理部に供給する時刻情報生成手段とを具備したことを特徴とするデジタル放送番組送出装置。
【請求項２】
前記時刻情報生成手段は、前記時刻情報提供部内に設けられることを特徴とする請求項１記載のデジタル放送番組送出装置。
【請求項３】
前記時刻情報生成手段は、前記時刻情報提供部にて前記第２の計時方式が選択されたとき、前記番組情報処理部からの要求に応じて前記第１の時刻情報を要求元の番組情報処理部に対し送信することを特徴とする請求項１記載のデジタル放送番組送出装置。
【請求項４】
前記時刻情報提供部は、前記第２の計時方式としてサマータイム方式により前記複数の番組情報処理部に対し時刻情報を送信することを特徴とする請求項１記載のデジタル放送番組送出装置。
【請求項５】
入力される時刻情報に基づいて、送信すべきデジタル放送の前記番組情報信号に係わる処理を行う複数の番組情報処理部と、標準時刻に沿って現在時刻を計時する第１の計時方式、及び前記標準時刻から一定時間ずらした時刻を現在時刻として計時する第２の計時方式のいずれか一方により得られる時刻情報を前記複数の番組情報処理部に送信する時刻情報提供部とを備えるデジタル放送番組送出装置で使用される時刻情報生成装置であって、
前記時刻情報提供部にて前記第２の計時方式が選択された場合に、前記時刻情報提供部から得られ前記第２の計時方式により計時された第１の時刻情報から前記標準時刻に沿った第２の時刻情報を生成して、この第２の時刻情報を前記複数の番組情報処理部に供給することを特徴とするデジタル放送番組送出装置の時刻情報生成装置。
【請求項６】
デジタル放送の番組情報信号を標準時刻に基づいて送出し、かつ入力される時刻情報に基づいて、送信すべき前記番組情報信号に係わる処理を行う複数の番組情報処理部と、前記標準時刻に沿って現在時刻を計時する第１の計時方式、及び前記標準時刻から一定時間ずらした時刻を現在時刻として計時する第２の計時方式のいずれか一方により得られる時刻情報を前記複数の番組情報処理部に送信する時刻情報提供部とを備えるデジタル放送番組送出装置の時刻情報生成制御方法であって、
この時刻情報提供部にて前記第２の計時方式が選択されるか否かを判定する第１の過程と、
この判定結果により第２の計時方式が選択された場合に、前記時刻情報提供部から得られ前記第２の計時方式により計時された第１の時刻情報から前記標準時刻に沿った第２の時刻情報を生成して、この第２の時刻情報を前記複数の番組情報処理部に供給する第２の過程とを具備したことを特徴とするデジタル放送番組送出装置の時刻情報生成制御方法。
【発明の詳細な説明】
【０００１】
【発明の属する技術分野】
この発明は、例えば放送局の番組送出システムに適用され、処理基準となる時刻の変動に応じて番組情報の処理を行うデジタル放送番組送出装置と、このデジタル放送番組送出装置で使用される時刻情報生成装置、及びデジタル放送番組送出装置で使用される時刻情報生成制御方法に関する。
【０００２】
【従来の技術】
近年、例えば放送局の番組送出システムにあっては、処理基準となる時刻の変動に対応した制御を行う時刻管理制御システムを適用している。この種のシステムでは、標準時刻に対して期間をもって時刻の調整を行うようにした時刻調整制度が採用されており、代表的なものとしては夏季に限定して時刻を標準時刻よりも数時間早めるようにしたサマータイム制度が存在している（例えば特許文献１）。
【０００３】
【特許文献１】
特開２００２−１８１９７０号公報。
【０００４】
【発明が解決しようとする課題】
ところで、上記サマータイムに入った際に、マスターとなる時計装置にて時刻を早めると、それに伴ってスレーブとなる番組情報処理装置にて動作する時刻も補正されるため、放送すべき番組情報信号に多大な影響を与えることになる。特に、１３：００から１４：００に時刻を早めてしまうと、標準時刻の１４：００に放送すべき番組情報信号を放送してしまうことになる。
【０００５】
そこで、この発明の目的は、例えばサマータイム期間において現在時刻が標準時刻に対し変動する場合にも、各番組情報処理部それぞれの処理に影響を与えることなく標準時刻に合わせて処理を実行し得るデジタル放送番組送出装置、このデジタル放送番組送出装置の時刻情報生成装置、及びデジタル放送番組送出装置の時刻情報生成制御方法を提供することにある。
【０００６】
【課題を解決するための手段】
この発明は、上記目的を達成するために、以下のように構成される。
（１）デジタル放送の番組情報信号を標準時刻に基づいて送出するデジタル放送番組送出装置であって、入力される時刻情報に基づいて、送信すべき前記番組情報信号に係わる処理を行う複数の番組情報処理部と、標準時刻に沿って現在時刻を計時する第１の計時方式、及び標準時刻から一定時間ずらした時刻を現在時刻として計時する第２の計時方式のいずれか一方により得られる時刻情報を複数の番組情報処理部に送信する時刻情報提供部と、この時刻情報提供部にて第２の計時方式が選択された場合に、時刻情報提供部から得られ第２の計時方式により計時された第１の時刻情報から標準時刻に沿った第２の時刻情報を生成して、この第２の時刻情報を複数の番組情報処理部に供給する時刻情報生成手段とを備えるようにしたものである。
【０００７】
（１）の構成によれば、第２の計時方式が選択された際に、時刻情報提供部から複数の番組情報処理部それぞれに対する第１の時刻情報の送信に先立ち、この第１の時刻情報から標準時刻に沿った第２の時刻情報を生成して各番組情報処理部に提供するようにしているので、時刻情報提供部にて第１の計時方式から第２の計時方式へ変更されたとしても、各番組情報処理部の処理に影響を与えることなく、各番組情報処理部では標準時刻に沿って処理を引き続き行うことができる。
【０００８】
（２）時刻情報生成手段は、時刻情報提供部内に設けられることを特徴とする。
（２）の構成によれば、装置構成の簡素化を図ることができる。
（３）時刻情報生成手段は、時刻情報提供部にて第２の計時方式が選択されたとき、番組情報処理部からの要求に応じて第１の時刻情報を要求元の番組情報処理部に対し送信することを特徴とする。
（３）の構成によれば、番組情報処理部から第１の時刻情報の取得要求が発生した際に、要求元の番組情報処理部に対し第１の時刻情報を送信するようにしているので、ある番組情報処理部については、第１の時刻情報を運用者に提示するようにし、一方別の番組情報処理部については第２の時刻情報に従って放送すべく番組情報信号に関する処理を実行するというように、番組情報処理部ごとに最適な時刻情報取得処理を行うことができる。
【０００９】
【発明の実施の形態】
以下、この発明の実施形態について図面を参照して詳細に説明する。
図１は、この発明に係るデジタル放送番組送出装置が適用される局内システムの一実施形態を示すブロック構成図である。
このシステムは、同図に示すように、スイッチャー（ＳＷ）１１と、エンコーダ（ＥＮＣ）１２と、マルチプレクサ（ＭＵＸ）１３と、データサーバ（ＤＳ）１４と、自動番組送出制御装置（ＡＰＣ）１５と、符号化多重制御装置（ＳＣＳ）１６と、局内時計装置１７とを備えている。
【００１０】
スイッチャー１１は、番組素材データを選択的に出力するものである。このスイッチャー１１から出力された番組素材データは、エンコーダ１２によって圧縮符号化処理が施されてＴＳ（Ｔｒａｎｓｐｏｒｔ  Ｓｔｒｅａｍ）に生成され、マルチプレクサ１３によって他のＴＳと多重化され、多重化ＴＳとして送出される。また、マルチプレクサ１３は、符号化多重制御装置１６から出力される情報を元に、ＰＭＴ（Ｐｒｏｇｒａｍ  Ｍａｐ  Ｔａｂｌｅ）、ＰＡＴ（Ｐｒｏｇｒａｍ  Ａｓｓｏｃｉａｔｉｏｎ  Ｔａｂｌｅ）等のデータを生成し、ＴＳに多重する。
【００１１】
自動番組送出制御装置１５は、データサーバ１４から提供される放送スケジュールデータ及び局内時計装置１７で計時される番組編成時刻に従って、スイッチャー１１を切替制御するとともに、符号化多重制御装置１６に対し指示情報を送出して符号化多重制御装置１６の符号化多重処理を制御するようにしている。
【００１２】
符号化多重制御装置１６は、自動番組送出制御装置１５から提供される指示情報、放送スケジュールデータ及び局内時計装置１７で計測される編成時刻に基づいてエンコーダ１２及びマルチプレクサ１３を制御する。
ところで、局内時計装置１７は、標準時刻に沿って現在時刻を計時する（ＵＴＣ＋９Ｈ）方式、標準時刻から例えば１時間早めた時刻を現在時刻として計時するサマータイム方式のうちのいずれか一方により、データサーバ１４、自動番組送出制御装置１５及び符号化多重制御装置１６に対し時刻情報を送信する。この場合、図２に示すように、サマータイム入り時に発生する時刻の飛び越し、図３に示すように、サマータイム降り時に発生する時刻の繰り返しに対して運用に影響が出ないように、イベントを組まないようにする必要がある。
【００１３】
そこで、本実施形態では、局内時計装置１７と、データサーバ１４、自動番組送出制御装置１５及び符号化多重制御装置１６との間に時刻情報変換装置１８を介在させるようにしている。この時刻情報変換装置１８は、局内時計装置１７からサマータイム方式が選択された旨のフラグを受信した場合に、局内時計装置１７から得られる時刻情報から標準時刻に沿った時刻情報（以下、標準時刻情報と称する）を生成して、この標準時刻情報をデータサーバ１４、自動番組送出制御装置１５及び符号化多重制御装置１６にそれぞれ供給する。
【００１４】
これらデータサーバ１４、自動番組送出制御装置１５、符号化多重制御装置１６及び時刻情報変換装置１８は、リアルタイム性が要求される信号を伝送するためのＳＥＣＮＥＴ（スタジオ・イクイプメント・コントロール・ネット）１９により接続される。
【００１５】
次に、上記構成における動作について説明する。
すなわち、上記時刻情報変換装置１８は、図４に示す制御処理を実行する。
時刻情報変換装置１８は、局内時計装置１７からサマータイムに入る旨のフラグを受信するか否かを監視しており（ステップＳＴ４ａ）、サマータイムに入った場合（Ｙｅｓ）、局内時計装置１７から出力される時刻情報から標準時刻情報を生成し（ステップＳＴ４ｂ）、このサマータイムによる時刻情報を内部のバッファ（図示せず）に保持する（ステップＳＴ４ｃ）。
【００１６】
このとき、局内時計装置１７から送られてくるフラグには、現在時刻について標準時刻より早めたシフト量（時間）を示す情報が含まれている。このため、時刻情報変換装置１８は受信したフラグに基づいて、局内時計装置１７から送られた時刻情報から早めた時間だけ遅らせることで、標準時刻情報を求めることができる。
【００１７】
続いて時刻情報変換装置１８は、例えばデータサーバ１４からサマータイムによる時刻情報の取得要求が到来したか否かの判断を行う（ステップＳＴ４ｄ）。
ここで、取得要求が無ければ（Ｎｏ）、時刻情報変換装置１８は上記標準時刻情報をデータサーバ１４に対しＳＥＣＮＥＴ１９を介して送信する（ステップＳＴ４ｅ）。
一方、取得要求が到来した場合（Ｙｅｓ）、時刻情報変換装置１８はバッファに保持したサマータイムによる時刻情報をデータサーバ１４に対しＳＥＣＮＥＴ１９を介して送信する（ステップＳＴ４ｆ）。
【００１８】
なお、上記ステップＳＴ４ａ乃至ステップＳＴ４ｆの処理は、自動番組送出制御装置１５及び符号化多重制御装置１６に対し並行して行なわれることになる。
また、時刻情報変換装置１８は、サマータイム方式から（ＵＴＣ＋９Ｈ）方式に切り替わった際に、上記標準時刻情報の生成処理を停止する。
【００１９】
また、上記処理では、サマータイムによる時刻情報を時刻情報変換装置１８内のバッファに保持しておく例について説明したが、サマータイム入り時に、データサーバ１４、自動番組送出制御装置１５及び符号化多重制御装置１６に対し、サマータイムによる時刻情報と標準時刻情報とを両方送信するようにしてもよい。この場合、データサーバ１４、自動番組送出制御装置１５及び符号化多重制御装置１６にてどちらか一方を選択させるようにすればよい。
【００２０】
以上のように上記実施形態では、局内時計装置１７にてサマータイムに入った際に、局内時計装置１７からデータサーバ１４、自動番組送出制御装置１５及び符号化多重制御装置１６に対する時刻情報の送信に先立ち、時刻情報変換装置１８において、サマータイムによる時刻情報から標準時刻情報を生成してデータサーバ１４、自動番組送出制御装置１５及び符号化多重制御装置１６に提供するようにしている。
【００２１】
従って、局内時計装置１７にて（ＵＴＣ＋９Ｈ）方式からサマータイム方式へ変更されたとしても、データサーバ１４、自動番組送出制御装置１５及び符号化多重制御装置１６の処理に影響を与えることなく、データサーバ１４、自動番組送出制御装置１５及び符号化多重制御装置１６では標準時刻に沿って処理を引き続き行うことができる。
【００２２】
これにより、運用者側でイベントを組まないような対策を講じることなく、サマータイム入り時に例えば１３：００から１４：００に時刻を早めてしまった時点で、標準時刻の１４：００に放送すべき番組情報信号を間違って放送してしまうという問題も解消できる。
また、上記実施形態によれば、既知の局内時計装置１７をそのまま使用することができるので、局内システム全体としては低コストのシステムを構築できる。
【００２３】
また、上記実施形態では、時刻情報変換装置１８において、例えばデータサーバ１４からサマータイムによる時刻情報の取得要求が発生した際に、要求元のデータサーバ１４に対しサマータイムによる時刻情報を送信するようにしている。
このため、データサーバ１４については、サマータイムによる時刻情報を運用者に提示するようにし、一方自動番組送出制御装置１５及び符号化多重制御装置１６については標準時刻情報に従って放送すべく番組情報信号に関する処理を実行するというように、各装置ごとに最適な時刻情報取得処理を行うことができる。
【００２４】
なお、本発明は上記実施形態の構成に限定されるものではない。例えば図５に示すように時刻情報変換装置が局内時計装置内に内蔵されるものであってもよい。なお、図５において、図１と同一部分には同一符号を付して示す。
すなわち、図５に示すシステムでは、局内時計装置１７に代えて、時刻情報変換部２０１を内蔵した局内時計装置２０を備えるようにし、しかもこの局内時計装置２０をＳＥＣＮＥＴ１９に接続するための接続装置２１を備えるようにしている。
【００２５】
この場合、局内時計装置２０では、サマータイムに入ると、内部の時刻情報変換部２０１にてそのサマータイムによる時刻情報から標準時刻情報が生成されることになる。したがって、局内時計装置２０と時刻情報変換部２０１との間の配線構造の簡素化を図ることができる。
【００２６】
また、上記実施形態では、（ＵＴＣ＋９Ｈ）方式とサマータイム方式との切り替えを例に説明した。しかしこれに限ることなく、例えばサマータイム以外において、標準時刻から一定時間ずらした時刻を現在時刻として計時する計時方式と（ＵＴＣ＋９Ｈ）方式との切り替えを対象にしてもよい。
【００２７】
さらに、上記実施形態では、時刻情報変換装置と、データサーバ、自動番組送出制御装置及び符号化多重制御装置との間をＳＥＣＮＥＴにより接続する例について説明したが、これに限ることなく、時刻情報変換装置と、スイッチャー、エンコーダ及びマルチプレクサとの間もＳＥＣＮＥＴにより接続するようにしてもよい。これは、例えばスイッチャー、エンコーダ及びマルチプレクサそれぞれで時刻管理を行っている場合に非常に有効となる。
その他、局内システムの種類及びその構成、サマータイム期間中における標準時刻情報の生成手順及び時刻情報の提供手順等についても、この発明の要旨を逸脱しない範囲で種々変形して実施できる。
【００２８】
【発明の効果】
以上詳述したようにこの発明によれば、サマータイムのように現在時刻が標準時刻に対し変動する場合にも、各番組情報処理部それぞれの処理に影響を与えることなく標準時刻に合わせて処理を実行し得るデジタル放送番組送出装置、このデジタル放送番組送出装置の時刻情報生成装置、及びデジタル放送番組送出装置の時刻情報生成制御方法を提供することができる。
【図面の簡単な説明】
【図１】この発明に係るデジタル放送番組送出装置が適用される局内システムの一実施形態を示すブロック構成図。
【図２】サマータイム入り時に発生する時刻の飛び越しの様子を示す図。
【図３】サマータイム降り時に発生する時刻の繰り返しの様子を示す図。
【図４】同実施形態における時刻情報変換装置の制御手順及び制御内容を示すフローチャート。
【図５】この発明の他の実施形態に係る局内システムを示すブロック構成図。
【符号の説明】
１１…スイッチャー、１２…エンコーダ、１３…マルチプレクサ、１４…データサーバ、１５…自動番組送出制御装置、１６…符号化多重制御装置、１７…局内時計装置、１８…時刻情報変換装置、１９…ＳＥＣＮＥＴ、２０…局内時計装置、２１…接続装置、２０１…時刻情報変換部。
【図１】
2005061848.tif 000003
【図２】
2005061848.tif 000004
【図３】
2005061848.tif 000005
【図４】
2005061848.tif 000006
【図５】
2005061848.tif 000007